【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
被検体への光照射により発生した光音響波を受信することにより取得された電気信号に基づいた画像を表示手段に表示させる光音響装置であって、
ユーザーの指示に基づいて第一の関心領域を設定し、
前記第一の関心領域を示す情報に基づいて第一のボクセルサイズを設定し、
前記電気信号に基づいて前記第一の関心領域内の第一の被検体情報分布を前記第一のボクセルサイズで算出し、
前記第一の被検体情報分布の第一の画像を前記表示手段に表示させる情報取得部を有する
ことを特徴とする光音響装置。
【請求項２】
前記情報取得部は、前記第一の関心領域を示す情報と前記第一の被検体情報分布の表示領域における画素数を示す情報とに基づいて、前記第一のボクセルサイズを設定する
ことを特徴とする請求項１に記載の光音響装置。
【請求項３】
前記情報取得部は、前記第一の被検体情報分布を０．１秒以内に計算可能とするように前記第一のボクセルサイズを設定する
ことを特徴とする請求項１または２に記載の光音響装置。
【請求項４】
前記情報取得部は、前記第一の被検体情報分布として、初期音圧分布、光吸収エネルギー密度分布、光吸収係数分布、被検体の構成物質の濃度分布の少なくとも一つを算出する
ことを特徴とする請求項１から３のいずれか１項に記載の光音響装置。
【請求項５】
前記情報取得部は、
前記電気信号に基づいて前記第一の関心領域内の初期音圧分布を前記第一のボクセルサイズで算出し、
前記第一のボクセルサイズよりも小さいボクセルサイズで、前記第一の関心領域内の第一の光フルエンス分布を算出し、
前記初期音圧分布と前記光フルエンス分布とに基づいて、前記第一の被検体情報分布として前記第一の関心領域内の光吸収係数分布を算出する
ことを特徴とする請求項１から４のいずれか１項に記載の光音響装置。
【請求項６】
前記情報取得部は、
前記第一の画像が前記表示手段に表示されているときのユーザーの指示に基づいて第二の関心領域を設定し、
前記第二の関心領域に基づいて第二のボクセルサイズを設定し、
前記電気信号に基づいて、第二の被検体情報分布を前記第二のボクセルサイズで算出し、
前記第二の被検体情報分布の第二の画像を前記表示手段に表示させる
ことを特徴とする請求項１から５のいずれか１項に記載の光音響装置。
【請求項７】
前記情報取得部は、前記第二の関心領域が前記第一の関心領域に含まれている場合に、
前記電気信号に基づいて前記第一の関心領域内の第一の初期音圧分布を前記第一のボクセルサイズで算出し、
前記第一の関心領域内の第一の光フルエンス分布を前記第一のボクセルサイズで算出し、
前記第一の初期音圧分布と前記第一の光フルエンス分布とに基づいて、前記第一の被検体情報分布として前記第一の関心領域内の第一の光吸収係数分布を算出し、
前記電気信号に基づいて前記第二の関心領域内の第二の初期音圧分布を前記第二のボクセルサイズで算出し、
前記第一の光フルエンス分布に基づいて、前記第二の関心領域内の第二の光フルエンス分布を取得し、
前記第二の初期音圧分布と前記第二の光フルエンス分布とに基づいて、前記第二の被検体情報分布として前記第二の関心領域内の第二の光吸収係数分布を算出する
ことを特徴とする請求項６に記載の光音響装置。
【請求項８】
前記情報取得部は、前記第二の関心領域に対応する前記第一の光フルエンス分布を、前記第二の関心領域内の前記第二の光フルエンス分布として取得する
ことを特徴とする請求項７に記載の光音響装置。
【請求項９】
前記情報取得部は、前記第一の光フルエンス分布を補完することにより、前記第二の光フルエンス分布を算出する
ことを特徴とする請求項７に記載の光音響装置。
【請求項１０】
前記情報取得部は、
前記第二の関心領域が前記第一の関心領域よりも小さい場合に、前記第一のボクセルサイズよりも小さい前記第二のボクセルサイズを設定し、
前記第二の関心領域が前記第一の関心領域よりも大きい場合に、前記第一のボクセルサイズよりも大きい前記第二のボクセルサイズを設定する
ことを特徴とする請求項６から９のいずれか１項に記載の光音響装置。
【請求項１１】
光を発する光源と、
光が前記被検体に照射されることにより発生した光音響波を受信し、前記光音響波を前記電気信号に変換する音響波探触子と、
を有することを特徴とする請求項１から１０のいずれか１項に記載の光音響装置。
【請求項１２】
被検体への光照射により発生した光音響波を受信することにより取得された電気信号に基づいた画像を表示手段に表示させる画像表示方法であって、
ユーザーの指示に基づいて第一の関心領域を設定し、
前記第一の関心領域を示す情報に基づいて第一のボクセルサイズを設定し、
前記電気信号に基づいて前記第一の関心領域内の第一の被検体情報分布を前記第一のボクセルサイズで算出し、
前記第一の被検体情報分布の第一の画像を表示手段に表示させる
ことを特徴とする画像表示方法。
【請求項１３】
前記第一の関心領域を示す情報と前記第一の被検体情報分布の表示領域における画素数を示す情報とに基づいて、前記第一のボクセルサイズを設定する
ことを特徴とする請求項１２に記載の画像表示方法。
【請求項１４】
前記第一の被検体情報分布を０．１秒以内に計算可能とするように前記第一のボクセルサイズを設定する
ことを特徴とする請求項１２または１３に記載の画像表示方法。
【請求項１５】
前記電気信号に基づいて前記第一の関心領域内の初期音圧分布を前記第一のボクセルサイズで算出し、
前記第一のボクセルサイズよりも小さいボクセルサイズで、前記第一の関心領域内の第一の光フルエンス分布を算出し、
前記初期音圧分布と前記光フルエンス分布とに基づいて、前記第一の被検体情報分布として前記第一の関心領域内の光吸収係数分布を算出する
ことを特徴とする請求項１２から１４のいずれか１項に記載の画像表示方法。
【請求項１６】
前記第一の画像が前記表示手段に表示されているときのユーザーの指示に基づいて第二の関心領域を設定し、
前記第二の関心領域に基づいて第二のボクセルサイズを設定し、
前記電気信号に基づいて、第二の被検体情報分布を前記第二のボクセルサイズで算出し、
前記第二の被検体情報分布の第二の画像を前記表示手段に表示させる
ことを特徴とする請求項１２から１５のいずれか１項に記載の画像表示方法。
【請求項１７】
前記第二の関心領域が前記第一の関心領域に含まれている場合に、
前記電気信号に基づいて前記第一の関心領域内の第一の初期音圧分布を前記第一のボクセルサイズで算出し、
前記第一の関心領域内の第一の光フルエンス分布を前記第一のボクセルサイズで算出し、
前記第一の初期音圧分布と前記第一の光フルエンス分布とに基づいて、前記第一の被検体情報分布として前記第一の関心領域内の第一の光吸収係数分布を算出し、
前記電気信号に基づいて前記第二の関心領域内の第二の初期音圧分布を前記第二のボクセルサイズで算出し、
前記第一の光フルエンス分布に基づいて、前記第二の関心領域内の第二の光フルエンス分布を取得し、
前記第二の初期音圧分布と前記第二の光フルエンス分布とに基づいて、前記第二の被検体情報分布として前記第二の関心領域内の第二の光吸収係数分布を算出する
ことを特徴とする請求項１６に記載の画像表示方法。
【請求項１８】
前記第二の関心領域に対応する前記第一の光フルエンス分布を、前記第二の関心領域内の前記第二の光フルエンス分布として取得する
ことを特徴とする請求項１７に記載の画像表示方法。
【請求項１９】
前記第一の光フルエンス分布を補完することにより、前記第二の光フルエンス分布を算出する
ことを特徴とする請求項１７に記載の画像表示方法。
【請求項２０】
前記第二の関心領域が前記第一の関心領域よりも小さい場合に、前記第一のボクセルサイズよりも小さい前記第二のボクセルサイズを設定し、
前記第二の関心領域が前記第一の関心領域よりも大きい場合に、前記第一のボクセルサイズよりも大きい前記第二のボクセルサイズを設定する
ことを特徴とする請求項１６から１９のいずれか１項に記載の画像表示方法。
【請求項２１】
請求項１２から２０のいずれか１項に記載の画像表示方法をコンピュータに実行させるためのプログラム。
【手続補正２】
【補正対象書類名】明細書
【補正対象項目名】０００７
【補正方法】変更
【補正の内容】
【０００７】
本発明に係る光音響装置は、被検体への光照射により発生した光音響波を受信することにより取得された電気信号に基づいた画像を表示手段に表示させる光音響装置であって、ユーザーの指示に基づいて第一の関心領域を設定し、前記第一の関心領域を示す情報に基づいて第一のボクセルサイズを設定し、前記電気信号に基づいて前記第一の関心領域内の第一の被検体情報分布を前記第一のボクセルサイズで算出し、前記第一の被検体情報分布の第一の画像を前記表示手段に表示させる情報取得部を有する。